(57)【特許請求の範囲】
【請求項１】
プリーツ形状の第１のフィルタと、
前記第１のフィルタの形状を保持する第１の枠と、
前記第１の枠に固定された第２の枠と、
前記第１のフィルタにおける一方表面側に設けた第２のフィルタとを有し、
前記第２の枠は、
前記第１の枠に固定される第２の枠固定部と、
前記第２の枠固定部から前記第１のフィルタにおける一方表面側に突出した第２の枠折り返し部とを有し、
前記第２のフィルタは、
多数の孔を有する平板形状のフィルタ部と、
前記フィルタ部の周縁部に設けられた前記第２のフィルタの皺を抑制するロの字形状の第３の枠である皺抑制手段を備え、
最初に前記第２のフィルタ１２を通過し、次に前記第１のフィルタを通過する送風方向において、
前記第２のフィルタは、
前記第３の枠の前記送風方向における下流側に下流側接着剤を有し、
前記下流側接着剤によって、前記第３の枠は前記第２のフィルタのフィルタ部の周縁部に固定され、
前記第２のフィルタは、
前記第３の枠の前記送風方向における上流側に上流側接着剤を有し、
前記上流側接着剤によって、前記第２の枠折り返し部の内方に固定され、
前記第２の枠に装着され、
前記第３の枠の幅寸法は前記第２の枠折り返し部の幅寸法よりも小さいことを特徴とするエアフィルタ。
【請求項２】
請求項１に記載のエアフィルタを、本体ケースの吸気口部分に配置し、送風手段によって前記吸気口から吸い込まれた空気は、前記第２のフィルタ、前記第１のフィルタを順次介して、排気口へ送風される空気清浄装置。
【発明の詳細な説明】
【技術分野】
【０００１】
本発明は、空気調和機などに組み込まれるエアフィルタ、およびこのエアフィルタを装着した空気清浄装置に関する。
【背景技術】
【０００２】
従来のエアフィルタは、プリーツ形状の第１のフィルタと、第１のフィルタの形状を保持する第１の枠と、第１のフィルタにおける一方表面側に設けた第２のフィルタとを有し、第２のフィルタは、第１の枠に固定された構成となっていた。例えば、これに類似する先行文献は下記特許文献１に記載されている。
【先行技術文献】
【特許文献】
【０００３】
【特許文献１】特開平０１−１８０２１３号公報
【発明の概要】
【発明が解決しようとする課題】
【０００４】
上記従来例における課題は、エアフィルタの生産工程不良の更なる低減である。
【０００５】
エアフィルタを生産する工程において、第１の枠に、プリーツ形状の第１のフィルタと、第２のフィルタとを順番に接着して固定していた。
【０００６】
しかし、第２のフィルタは、第１のフィルタの比べ、目が粗くやわらかいので皺が発生し易いものであった。第１の枠に、プリーツ形状の第１のフィルタを接着した後、更に、第１の枠に、第２のフィルタ接着したときに、第２のフィルタに皺ができると、不良となり製品として使用できない。すなわち、第２のフィルタだけでなく、第１のフィルタも製品として使用できないものであった。
【０００７】
そこで本発明は、作業時に安定して不良が出にくいエアフィルタの構成にすることで生産工程不良の更なる低減を実現することを目的とするものである。
【課題を解決するための手段】
【０００８】
そしてこの目的を達成するために本発明は、プリーツ形状の第１のフィルタと、前記第１のフィルタの形状を保持する第１の枠と、前記第１の枠に固定された第２の枠と、前記第１のフィルタにおける一方表面側に設けた第２のフィルタとを有し、前記第２の枠は、前記第１の枠に固定される第２の枠固定部と、前記第２の枠固定部から前記第１のフィルタにおける一方表面側に突出した第２の枠折り返し部とを有し、前記第２のフィルタは、多数の孔を有する平板形状のフィルタ部と、前記フィルタ部の周縁部に設けられた前記第２のフィルタの皺を抑制するロの字形状の第３の枠である皺抑制手段を備え、最初に前記第２のフィルタ１２を通過し、次に前記第１のフィルタを通過する送風方向において、前記第２のフィルタは、前記第３の枠の前記送風方向における下流側に下流側接着剤を有し、前記下流側接着剤によって、前記第３の枠は前記第２のフィルタのフィルタ部の周縁部に固定され、前記第２のフィルタは、前記第３の枠の前記送風方向における上流側に上流側接着剤を有し、前記上流側接着剤によって、前記第２の枠折り返し部の内方に固定され、前記第２の枠に装着され、前記第３の枠の幅寸法は前記第２の枠折り返し部の幅寸法よりも小さく、これにより初期の目的を達成するものである。
【発明の効果】
【０００９】
以上のように本発明は、プリーツ形状の第１のフィルタと、前記第１のフィルタの形状を保持する第１の枠と、前記第１の枠に固定された第２の枠と、前記第１のフィルタにおける一方表面側に設けた第２のフィルタとを有し、前記第２の枠は、前記第１の枠に固定される第２の枠固定部と、前記第２の枠固定部から前記第１のフィルタにおける一方表面側に突出した第２の枠折り返し部とを有し、前記第２のフィルタは、多数の孔を有する平板形状のフィルタ部と、前記フィルタ部の周縁部に設けられた前記第２のフィルタの皺を抑制するロの字形状の第３の枠である皺抑制手段を備え、最初に前記第２のフィルタ１２を通過し、次に前記第１のフィルタを通過する送風方向において、前記第２のフィルタは、前記第３の枠の前記送風方向における下流側に下流側接着剤を有し、前記下流側接着剤によって、前記第３の枠は前記第２のフィルタのフィルタ部の周縁部に固定され、前記第２のフィルタは、前記第３の枠の前記送風方向における上流側に上流側接着剤を有し、前記上流側接着剤によって、前記第２の枠折り返し部の内方に固定され、前記第２の枠に装着され、前記第３の枠の幅寸法は前記第２の枠折り返し部の幅寸法よりも小さく、エアフィルタの工程不良の更なる低減を目的とするものである。
【００１０】
すなわち、第２のフィルタを、第２のフィルタの皺を抑制する皺抑制手段を備えた別部品として作成できるので、作業時に安定して不良が出にくいエアフィルタの構成となり、第３の枠は、第３の枠の送風手段による送風方向における上流側に上流側接着剤を有し、この上流側接着剤によって、第２の枠折り返し部の内方に固定し、第３の枠の幅寸法は、第２の枠折り返し部の幅寸法よりも小さので、接着剤の塗付量と塗付位置を管理し易く、第２の枠の上流側の第２の枠折り返し部との接着時に接着剤がはみ出さないようにでき、結果として、生産工程不良の更なる低減を実現することができるものである。
【図面の簡単な説明】
【００１１】
【図１】本発明の実施の形態１の空気清浄装置の断面図
【図２】同空気清浄装置のエアフィルタの概略図
【図３】同空気清浄装置のエアフィルタの展開図
【図４】同空気清浄装置のエアフィルタの第２のフィルタの展開図
【図５】同空気清浄装置のエアフィルタの展開図
【図６】本発明の実施の形態２の空気清浄装置のエアフィルタの第２のフィルタの展開図
【図７】同空気清浄装置の空気清浄手段のエアフィルタの展開図
【図８】本発明の実施の形態３の空気清浄装置のエアフィルタの第２のフィルタの斜視図
【図９】本発明の実施の形態４の空気清浄装置のエアフィルタの第２のフィルタの断面図
【図１０】同空気清浄装置のエアフィルタの第２のフィルタの斜視図
【発明を実施するための形態】
【００１２】
以下、本実施形態を添付図面を用いて説明する。
【００１３】
（実施の形態１）
以下本発明の１実施形態を添付図面を用いて説明する。
【００１４】
図１は、本発明の実施の形態１の空気清浄装置の断面図である。図１に示すように、本実施形態の空気清浄装置は、本体ケース１内に送風手段２とエアフィルタ３とを備えている。
【００１５】
本体ケースは、略縦長箱形状で、この本体ケースの前面側に、吸気口４を設け、本体ケースの天面部に、排気口５を備えている。この排気口５には、風向ルーバー６を設けている。
【００１６】
送風手段２は、本体ケース１の吸気口４と、排気口５との間の風路に設けられ、スクロール形状のケーシング７と、このケーシング７内に設けられた遠心送風ファンである羽根８と、この羽根８を回転させる電動機（図示せず）とから形成している。
【００１７】
また、エアフィルタ３は、本体ケース１の吸気口４下流側に位置している。
【００１８】
以上の構成において、送風手段２によって、室内の空気を吸気口４から本体ケース１内に吸気した空気は、エアフィルタ３を介して排気口５へと送風するものである。つまり、室内の空気をエアフィルタ３で清浄して、室内へ送風するものである。
【００１９】
図２は、本発明の実施の形態１の空気清浄装置のエアフィルタの概略図である。図３は、本発明の実施の形態１の空気清浄装置のエアフィルタの展開図である。図２、３に示すように、このエアフィルタ３は、プリーツ形状の第１のフィルタ９と、第１のフィルタ９の形状を保持する第１の枠１０と、第１の枠１０に固定された第２の枠１１と、第１のフィルタ９における一方表面側に設けた第２のフィルタ１２とを有している。第２のフィルタ１２は、第１のフィルタ９に比べて、目が粗く、やわらかいものである。
【００２０】
送風手段２によって、室内の空気を吸気口４から本体ケース１内に吸気した空気は、第２のフィルタ１２を最初に通過し、次に、第１のフィルタ９を通過する。
【００２１】
第２のフィルタ１２は、第１のフィルタ９に比べて、目が粗いので、比較的大きな粉塵を捕集し、第２のフィルタ１２で捕集できなかった比較的小さな粉塵を、第１のフィルタ９で捕集する。
【００２２】
第１のフィルタ９は、平板形状の濾材をプリーツ形状、すなわち波形に折り曲げたものである。
【００２３】
第１の枠１０は、送風方向における風上側から見ると、ロの字形状で、プリーツ形状の第１のフィルタ９周縁に、第１の接着部材によって、接着している。第１の枠の１例は、４枚の長方形の板で、材質が、不織布である。第１の接着部材の１例は、接着剤、ホットメルトである。
【００２４】
第２の枠１１は、送風方向における風上側から見ると、ロの字形状で、第１の枠１０周縁に、第１の接着部材によって、第１の枠１０に固定されている。第２の枠１１の１例は、長方形の板で、折り目を短辺方向に３箇所有し、材質が紙である。
【００２５】
第２のフィルタ１２は、第１のフィルタ９における一方表面側に設けられている。第２のフィルタ１２の１例は、長方形の板状の網で、材質が樹脂である。
【００２６】
本実施形態における特徴は、第２のフィルタ１２は、第２のフィルタ１２の皺を抑制する皺抑制手段１３を備えると共に、第２の枠１１に装着される点である。
【００２７】
これにより、第２のフィルタ１２は、第２のフィルタ１２の皺を抑制する皺抑制手段１３を備え、第２のフィルタ１２を、別部品として作成できるので、作業時に安定して不良が出にくいエアフィルタの構成となる。結果として、生産工程不良の更なる低減を実現することができるものである。
【００２８】
また、第２の枠１１は、第１の枠１０に固定される第２の枠固定部１４と、第２の枠固定部１４から第１のフィルタ９における一方表面側に突出した第２の枠折り返し部１５とを有している。第２のフィルタ１２は、多数の孔を有する平板形状のプレフィルタ部１６と、プレフィルタ部１６の周縁部に設けられた皺抑制手段１３とを備えている。皺抑制手段１３は、プレフィルタ部１６に比べ剛性が高い。この剛性が高い皺抑制手段１３が、第２の枠折り返し部１５に装着される。
【００２９】
具体的には、第２のフィルタ１２の皺抑制手段１３は、プレフィルタ部１６の周縁部に設けた平板形状の第３の枠１７である。第３の枠１７は、四角形状の板の中央部を四角形状に繰り抜いたロの字形状である。
【００３０】
図４は、本発明の実施の形態１の空気清浄装置のエアフィルタの第２のフィルタの展開図である。図４は、送風方向における下流側から見た図である。図５は、本発明の実施の形態１の空気清浄装置のエアフィルタの展開図である。図５は、送風方向における上流側から見た図である。
【００３１】
図４に示すように、まず、第３の枠１７の送風手段２による送風方向における下流側に接着剤１８を有し、この接着剤１８によって、第２のフィルタ１２のプレフィルタ部１６の周縁部に固定している。第２のフィルタ１２のプレフィルタ部１６の外周端と、第３の枠１７の外周端とは、実質的に同一である。
【００３２】
このように、ロの字形状の第３の枠１７に、第２のフィルタ１２のプレフィルタ部１６を貼り付けるので、第２のフィルタ１２は、別部品として分離して生産できるため、平台の上で第２のフィルタ１２のプレフィルタ部１６に皺がでないように容易に作業ができる。
【００３３】
次に、図５に示すように、第３の枠１７の送風手段２による送風方向における上流側に接着剤１９を有し、この接着剤１９によって、第２の枠折り返し部１５の内方に固定している。この第３の枠１７は糊代の役割にもなる。
【００３４】
すなわち、接着剤１９の塗付量と塗付位置を管理し易く、第２の枠１１の上流側の第２の枠折り返し部１５との接着時に接着剤１９がはみ出さないようにでき、本工程で不良の発生を低減できる。結果として、フィルタ廃棄費用つまりロスコストを削減する効果がある。更に作業がし易くなることにより、作業工数の低減も実現することができる。
【００３５】
なお、第３の枠１７の幅寸法は、第２の枠折り返し部１５の幅寸法よりも小さくすると接着剤１９のはみ出しはし難くなることはいうまでもない。
【００３６】
（実施の形態２）
図６は、本発明の実施の形態２の空気清浄装置のエアフィルタの第２のフィルタの展開図である。図６は、送風方向における下流側から見た図である。図７は、本発明の実施の形態２の空気清浄装置のエアフィルタの展開図である。図７は、送風方向における上流側から見た図である。実施の形態１と同様の構成要素については同一の符号を付し、その詳細な説明は省略する。
【００３７】
実施の形態１と相違する点は、第２のフィルタ１２の構成と、第２のフィルタ１２を第２の枠１１から着脱自在にした点である。
【００３８】
図６に示すように、第２のフィルタ１２は、中央部を繰り抜いた第３の枠１７の下流側に接着するものは、プレフィルタ部１６に加えて第３のフィルタ２０を接着して一体化してもよい。同様に別部品として扱え、同様に不良低減や工数削減を実現することができる。第３のフィルタ２０には、抗アレルゲン剤や抗菌剤や脱臭剤の機能性を持たせたものを使用すれば高付加価値のエアフィルタを実現することができる。
【００３９】
図７に示すように、第２のフィルタ１２は、第２の枠１１に着脱自在でもよい。
【００４０】
すなわち、第２のフィルタ１２におけるプレフィルタ部１６の周縁部に設けられた皺抑制手段１３の送風方向における上流側と、第２の枠折り返し部１５の送風方向における下流側とに、面ファスナー２１を設ける。この面ファスナーの１例は、マジックテープ（登録商標）である。
【００４１】
これにより、第２のフィルタ１２を着脱することができるようになり、お客様が第２のフィルタ１２を取り外してお手入れすることが可能となる。これにより、第１のフィルタ９に付着した埃も掃除して高性能なフィルタを維持することができる。また第２のフィルタ１２のみを別販品として購入して自分で交換できるようになり、より清潔感を求めるお客様の要望に応えることが可能となる。更に傷など不良が見つかった場合には、第２のフィルタ１２のみを交換でき、ロスコストを抑えて接着剤を使用しないことから作業工数も削減することが可能となる。
【００４２】
なお、第２のフィルタ１２のプレフィルタ部は、樹脂製の網、ＰＰネット以外にも金属や繊維などもあり、ポリエステルやＰＰのような不織布シートでも適用できる。
【００４３】
なお、第２の枠１１は、紙を想定しているが、プラスチックや金属や不織布などでもよい。
【００４４】
なお、第３の枠１７は、紙を想定しているが、プラスチックや金属や不織布などでもよい。
【００４５】
なお、接着剤は、ボンド、ホットメルト、両面テープなどを使用すれば本効果は得られる。
【００４６】
（実施の形態３）
図８は、本発明の実施の形態３の空気清浄装置のエアフィルタの第２のフィルタの斜視図である。図８は、送風方向における下流側から見た図である。実施の形態１と同様の構成要素については同一の符号を付し、その詳細な説明は省略する。
【００４７】
実施の形態１と相違する点は、皺抑制手段である。具体的には、第２のフィルタ１２のプレフィルタ部１６は、樹脂製であり、第２のフィルタ１２の皺抑制手段１３は、プレフィルタ部１６の周縁部の少なくとも一部の孔が熱溶着によって埋められたものである。具体的には、プレフィルタ部１６の周縁部を、高温の金属で挟み込み、熱によって、プレフィルタ部１６の周縁部を溶かし、孔を埋めることにより、プレフィルタ部１６の周縁部を板形状にするものである。
【００４８】
これにより、プレフィルタ部１６の周縁部が枠となり、新たな枠が必要なくコスト削減することが可能となる。なお、プレフィルタ部１６の周縁部は糊代となるため接着剤の塗付の管理は同様に確保できる。
【００４９】
（実施の形態４）
図９は、本発明の実施の形態４の空気清浄装置のエアフィルタの第２のフィルタの断面図である。図９は、送風方向に対して鉛直方向から見た図である。図１０は、本発明の実施の形態４の空気清浄装置のエアフィルタの第２のフィルタの斜視図である。図１０は、送風方向における上流側から見た図である。実施の形態１と同様の構成要素については同一の符号を付し、その詳細な説明は省略する。
【００５０】
実施の形態１と相違する点は、皺抑制手段である。具体的には、図９、１０に示すように、プレフィルタ部１６の他方側表面には、第３のフィルタ２０を設ける。第２のフィルタ１２のプレフィルタ部１６および第３のフィルタ２０は、樹脂製である。第２のフィルタ１２の皺抑制手段１３は、第２のフィルタ１２のプレフィルタ部１６と第３のフィルタ２０の周縁部が熱によって溶着された部分である。
【００５１】
すなわち、第２のフィルタ１２は、プレフィルタ部１６と第３のフィルタ２０を重ねて周縁部を熱溶着して一体化すると、周縁部は、板形状となり、枠が必要なくコスト削減することが可能となる。
【００５２】
なお、第３のフィルタ２０の１例は、不織布である。第３のフィルタ２０には、抗アレルゲン剤や抗菌剤や脱臭剤の機能性を持たせたものを使用すれば高付加価値のエアフィルタを実現することができる。
【００５３】
なお、抗アレルゲン剤や抗菌剤や脱臭剤以外にも抗ウイルス、防カビ剤を添着してもよい。
【００５４】
なお、熱溶着の部分は糊代となるため接着剤１９の塗付の管理は同様に確保できる。
【産業上の利用可能性】
【００５５】
以上のように本発明は、プリーツ形状の第１のフィルタと、前記第１のフィルタの形状を保持する第１の枠と、前記第１の枠に固定された第２の枠と、前記第１のフィルタにおける一方表面側に設けた第２のフィルタとを有し、前記第２のフィルタは、前記第２のフィルタの皺を抑制する皺抑制手段を備え、前記第２の枠に装着され、エアフィルタの工程不良の更なる低減を目的とするものである。
【００５６】
すなわち、第２のフィルタを、第２のフィルタの皺を抑制する皺抑制手段を備えた別部品として作成できるので、作業時に安定して不良が出にくいエアフィルタの構成となり、結果として、生産工程不良の更なる低減を実現することができるものである。
【００５７】
従って、家庭用や事務所用などの、空気清浄装置として活用が期待されるものである。
【符号の説明】
【００５８】
１      本体ケース
２      送風手段
３      エアフィルタ
４      吸気口
５      排気口
６      風向ルーバー
７      ケーシング
８      羽根
９      第１のフィルタ
１０      第１の枠
１１      第２の枠
１２      第２のフィルタ
１３      皺抑制手段
１４      第２の枠固定部
１５      第２の枠折り返し部
１６      プレフィルタ部
１７      第３の枠
１８      接着剤
１９      接着剤
２０      第３のフィルタ
２１      面ファスナー
【図１】
0006413075.tif 000002
【図２】
0006413075.tif 000003
【図３】
0006413075.tif 000004
【図４】
0006413075.tif 000005
【図５】
0006413075.tif 000006
【図６】
0006413075.tif 000007
【図７】
0006413075.tif 000008
【図８】
0006413075.tif 000009
【図９】
0006413075.tif 000010
【図１０】
0006413075.tif 000011